(57)【要約】【課題】高性能なリング形状の異方性ボンド磁石、とりわけ小型かつ薄型で、多極を有する極異方性ボンド磁石およびその製造方法を提供する。【解決手段】製造すべき異方性ボンド磁石をリング中心軸Ｚに沿って縦分割した形状の複数の部材であって、異方性磁石粉末を含む部材ａ１〜ａ４を製造し、その製造の際、各々の部材中の異方性磁石粉末を、略横断面上において時計回り周方向Ｄ２または反時計回り周方向Ｄ１に配向せしめ、各々の部材について、該部材の略一半分の領域では異方性磁石粉末の配向方向がリング外周面ｓ１からリング内周面ｓ２に向かう方向となり、該部材の略他半分の領域では異方性磁石粉末の配向方向がリング内周面ｓ２からリング外周面ｓ１に向かう方向となるように異方性磁石粉末を配向せしめ、製造された縦分割形状の複数の部材を、隣り合う部材間で異方性磁石粉末の配向方向が互いに逆方向となるように組み立てリング形状体を形成する。【選択図】図４
2005317845.tif 000002
【特許請求の範囲】
【請求項１】
複数の極を有するリング形状の異方性ボンド磁石であって、
該異方性ボンド磁石をリング中心軸に沿って縦分割した形状の複数の部材であって、異方性磁石粉末を含む部材から構成され、
各々の部材中の異方性磁石粉末は、略横断面上において時計回り周方向または反時計回り周方向に配向し、かつ各々の部材について、該部材の略一半分の領域では異方性磁石粉末の配向方向がリング外周面からリング内周面に向かう方向となり、該部材の略他半分の領域では異方性磁石粉末の配向方向がリング内周面からリング外周面に向かう方向となるように異方性磁石粉末が配向し、そして
該縦分割形状の複数の部材が、隣り合う部材間で異方性磁石粉末の配向方向が互いに逆方向となるように組み立てられてリング形状体を形成している
ことを特徴とする異方性ボンド磁石。
【請求項２】
複数の極を有するリング形状の異方性ボンド磁石であって、
該異方性ボンド磁石を二分割した形状の部材であって、各々、リング形状の端部と該端部より長手方向に延びる幾つかの延長部とからなり、それぞれ異方性磁石粉末を含む二つの部材から構成され、
二つの部材のうち一方の部材中の異方性磁石粉末は、略横断面上において時計回り周方向に、そして他方の部材中の異方性磁石粉末は、略横断面上において反時計回り周方向に配向し、かつ二つの部材について、該延長部の略一半分の領域では異方性磁石粉末の配向方向がリング外周面からリング内周面に向かう方向となり、該延長部の略他半分の領域では異方性磁石粉末の配向方向がリング内周面からリング外周面に向かう方向となるように異方性磁石粉末が配向し、そして
該二つの部材が組み立てられてリング形状体を形成している
ことを特徴とする異方性ボンド磁石。
【請求項３】
複数の極を有するリング形状の異方性ボンド磁石であって、
該異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材から構成され、
該極領域部材中の異方性磁石粉末は、略横断面上においてリング中心に近づく方向またはその反対方向のいずれかに配向し、かつ該非極領域部材中の異方性磁石粉末は、略横断面上において時計回り周方向または反時計回り周方向のうちのいずれかに配向し、そして
該複数の極領域部材と複数の非極領域部材とが交互に並び、該極領域部材同士の隣り合う部材間で異方性磁石粉末の配向方向が逆方向となるように、また該非極領域部材同士の隣り合う部材間で異方性磁石粉末の配向方向が逆方向となるように、複数の極領域部材と複数の非極領域部材とが組み立てられてリング形状体を形成している
ことを特徴とする異方性ボンド磁石。
【請求項４】
複数の極を有するリング形状の異方性ボンド磁石であって、
該異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材から構成され、
該極領域部材中の異方性磁石粉末は無配向であり、かつ該非極領域部材中の異方性磁石粉末は、略横断面上において時計回り周方向または反時計回り周方向のうちのいずれかに配向し、そして
該複数の極領域部材と複数の非極領域部材とが交互に並び、該非極領域部材同士の隣り合う部材間で異方性磁石粉末の配向方向が逆方向となるように、複数の極領域部材と複数の非極領域部材とが組み立てらえてリング形状体を形成している
ことを特徴とする異方性ボンド磁石。
【請求項５】
複数の極を有するリング形状の異方性ボンド磁石であって、
該異方性ボンド磁石を二分割した形状の部材であって、各々、リング形状の端部と該端部より長手方向に延びる幾つかの延長部とからなり、それぞれ異方性磁石粉末を含む二つの部材から構成され、
二つの部材のうち一方の部材中の異方性磁石粉末は、略横断面上においてリング中心に近づく方向またはその反対方向のいずれかに配向し、そして他方の部材中の異方性磁石粉末は、略横断面上において時計回り周方向または反時計回り周方向のうちのいずれかに配向し、かつ二つの部材について、該延長部同士の隣り合う部間で異方性磁石粉末の配向方向が逆方向となるように異方性磁石粉末が配向し、そして
該二つの部材が組み立てられてリング形状体を形成している
ことを特徴とする異方性ボンド磁石。
【請求項６】
複数の極を有するリング形状の異方性ボンド磁石であって、
該異方性ボンド磁石を二分割した形状の部材であって、各々、リング形状の端部と該端部より長手方向に延びる幾つかの延長部とからなり、それぞれ異方性磁石粉末を含む二つの部材から構成され、
二つの部材のうち一方の部材中の異方性磁石粉末は無配向であり、そして他方の部材中の異方性磁石粉末は、略横断面上において時計回り周方向または反時計回り周方向のうちのいずれかに配向し、かつ異方性磁石粉末を配向させた部材について、該延長部同士の隣り合う部間で異方性磁石粉末の配向方向が逆方向となるように異方性磁石粉末が配向し、そして
該二つの部材が組み立てられてリング形状体を形成している
ことを特徴とする異方性ボンド磁石。
【請求項７】
前記異方性ボンド磁石の断面リング形状が同心円でなく、内周のみ、外周のみ、または内周および外周共に楕円であることを特徴とする、請求項１ないし６のいずれか一項に記載の異方性ボンド磁石。
【請求項８】
内周面が正弦波着磁されていることを特徴とする、請求項１ないし７のうちのいずれか一項に記載の異方性ボンド磁石。
【請求項９】
外周面が正弦波着磁されていることを特徴とする、請求項１ないし７のうちのいずれか一項に記載の異方性ボンド磁石。
【請求項１０】
複数の極を有するリング形状の異方性ボンド磁石を製造する方法であって、
先ず、製造すべき異方性ボンド磁石をリング中心軸に沿って縦分割した形状の複数の部材であって、異方性磁石粉末を含む部材を製造し、
その製造の際、各々の部材中の異方性磁石粉末を、略横断面上において時計回り周方向または反時計回り周方向に配向せしめ、かつ各々の部材について、該部材の略一半分の領域では異方性磁石粉末の配向方向がリング外周面からリング内周面に向かう方向となり、該部材の略他半分の領域では異方性磁石粉末の配向方向がリング内周面からリング外周面に向かう方向となるように異方性磁石粉末を配向せしめ、そして
製造された縦分割形状の複数の部材を、隣り合う部材間で異方性磁石粉末の配向方向が互いに逆方向となるように組み立ててリング形状体を形成する
ことを特徴とする異方性ボンド磁石の製造方法。
【請求項１１】
先ず、前記縦分割形状の複数の部材を異方性磁石粉末の配向方向が異なる二つの組に分け、次いで、一方の組を前記リング形状体の中心空洞に対応する形状の円柱状治具に取り付
け、他方の組を前記リング形状体を取り囲む円筒状治具に取り付け、そして該円柱状治具を該円筒状治具に挿入することにより、前記縦分割形状の複数の部材を組み立ててリング形状体を形成することを特徴とする、請求項１０記載の異方性ボンド磁石の製造方法。
【請求項１２】
複数の極を有するリング形状の異方性ボンド磁石を製造する方法であって、
先ず、製造すべき異方性ボンド磁石を二分割した形状の部材であって、各々、リング形状の端部と該端部より長手方向に延びる幾つかの延長部とからなり、それぞれ異方性磁石粉末を含む二つの部材を製造し、
その製造の際、二つの部材のうち一方の部材中の異方性磁石粉末を、略横断面上において時計回り周方向に、そして他方の部材中の異方性磁石粉末を、略横断面上において反時計回り周方向に配向せしめ、かつ二つの部材について、該延長部の略一半分の領域では異方性磁石粉末の配向方向がリング外周面からリング内周面に向かう方向となり、該延長部の略他半分の領域では異方性磁石粉末の配向方向がリング内周面からリング外周面に向かう方向となるように異方性磁石粉末を配向せしめ、そして
製造された二分割された部材を組み立ててリング形状体を形成する
ことを特徴とする異方性ボンド磁石の製造方法。
【請求項１３】
複数の極を有するリング形状の異方性ボンド磁石を製造する方法であって、
先ず、製造すべき異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材を製造し、
その製造の際、極領域部材中の異方性磁石粉末を、略横断面上においてリング中心に近づく方向またはその反対方向のいずれかに配向せしめ、かつ非極領域部材中の異方性磁石粉末を、略横断面上において時計回り周方向または反時計回り周方向のうちのいずれかに配向せしめ、そして
製造された複数の極領域部材と複数の非極領域部材とを交互に並べ、該極領域部材同士の隣り合う部材間で異方性磁石粉末の配向方向が逆方向となるように、また該非極領域部材同士の隣り合う部材間で異方性磁石粉末の配向方向が逆方向となるように、複数の極領域部材と複数の非極領域部材とを組み立ててリング形状体を形成する
ことを特徴とする異方性ボンド磁石の製造方法。
【請求項１４】
複数の極を有するリング形状の異方性ボンド磁石を製造する方法であって、
先ず、製造すべき異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材を製造し、
その製造の際、極領域部材中の異方性磁石粉末を無配向とし、かつ非極領域部材中の異方性磁石粉末を、略横断面上において時計回り周方向または反時計回り周方向のうちのいずれかに配向せしめ、そして
製造された複数の極領域部材と複数の非極領域部材とを交互に並べ、該非極領域部材同士の隣り合う部材間で異方性磁石粉末の配向方向が逆方向となるように、複数の極領域部材と複数の非極領域部材とを組み立ててリング形状体を形成する
ことを特徴とする異方性ボンド磁石の製造方法。
【請求項１５】
前記極領域部材または前記非極領域部材の一方を前記リング形状体の中心空洞に対応する形状の円柱状治具に取り付け、他方を前記リング形状体を取り囲む円筒状治具に取り付け、そして該円柱状治具を該円筒状治具に挿入することにより、前記縦分割形状の複数の部材を組み立ててリング形状体を形成することを特徴とする、請求項１３または１４に記載の異方性ボンド磁石の製造方法。
【請求項１６】
複数の極を有するリング形状の異方性ボンド磁石を製造する方法であって、
先ず、製造すべき異方性ボンド磁石を二分割した形状の部材であって、各々、リング形状の端部と該端部より長手方向に延びる幾つかの延長部とからなり、それぞれ異方性磁石粉末を含む二つの部材を製造し、
その製造の際、二つの部材のうち一方の部材中の異方性磁石粉末を、略横断面上においてリング中心に近づく方向またはその反対方向のいずれかに配向せしめ、そして他方の部材中の異方性磁石粉末を、略横断面上において時計回り周方向または反時計回り周方向のうちのいずれかに配向せしめ、かつ二つの部材について、該延長部同士の隣り合う部間で異方性磁石粉末の配向方向が逆方向となるように異方性磁石粉末を配向せしめ、そして
製造された二分割された部材を組み立ててリング形状体を形成する
ことを特徴とする異方性ボンド磁石の製造方法。
【請求項１７】
複数の極を有するリング形状の異方性ボンド磁石を製造する方法であって、
先ず、製造すべき異方性ボンド磁石を二分割した形状の部材であって、各々、リング形状の端部と該端部より長手方向に延びる幾つかの延長部とからなり、それぞれ異方性磁石粉末を含む二つの部材を製造し、
その製造の際、二つの部材のうち一方の部材中の異方性磁石粉末を無配向とし、そして他方の部材中の異方性磁石粉末を、略横断面上において時計回り周方向または反時計回り周方向のうちのいずれかに配向せしめ、かつ異方性磁石粉末を配向させた部材について、該延長部同士の隣り合う部間で異方性磁石粉末の配向方向が逆方向となるように異方性磁石粉末を配向せしめ、そして
製造された二分割された部材を組み立ててリング形状体を形成する
ことを特徴とする異方性ボンド磁石の製造方法。
【請求項１８】
最終的に得られる異方性ボンド磁石の断面リング形状が同心円でなく、内周のみ、外周のみ、または内周および外周共に楕円であることを特徴とする、請求項１０ないし１７のいずれか一項に記載の異方性ボンド磁石の製造方法。
【請求項１９】
内周面に正弦波着磁することを特徴とする、請求項１０ないし１８のうちのいずれか一項に記載の異方性ボンド磁石の製造方法。
【請求項２０】
外周面に正弦波着磁することを特徴とする、請求項１０ないし１８のうちのいずれか一項に記載の異方性ボンド磁石の製造方法。
【発明の詳細な説明】
【技術分野】
【０００１】
本発明は、モーター等の回転機器に使用されるリング形状のボンド磁石、特に異方性ボンド磁石およびその製造方法に関する。
【背景技術】
【０００２】
従来より、エアコン、洗濯機等の白物家電、自動車の電装機器、レコードプレーヤ等の駆動用に多種多様なモーターが使用されている。近年では、ＨＤＤ、ＤＶＤ等の磁気式／光学式記録装置の駆動用、プリンター等のＯＡ機器の制御用、さらにはパソコンや電源装置の冷却用として、さらに多くのモーターが使用されている。
【０００３】
これらのモーターに使用されている永久磁石は、その材料に着目すると、Ｓｒ系フェライト、Ｂａ系フェライト等の酸化物系磁石と、Ｎｄ−Ｆｅ−Ｂ系、Ｓｍ−Ｆｅ−Ｎ系、Ｓｍ−Ｃｏ系等の希土類金属系磁石とに大別できる。該酸化物系磁石は安価であるが、磁気特性の一つである最大エネルギー積が低いという特徴を有する。これに対して希土類金属系磁石は材料自体が高価であるものの、最大エネルギー積が高いため、年々その使用量は増加している。
【０００４】
また、永久磁石は焼結磁石とボンド磁石とに大別することもできる。該ボンド磁石は磁石材料と樹脂バインダーとを混合したものから成形され、任意の形状に成形できるという特徴を有する。このボンド磁石の製造方法には、圧縮成形、射出成形、および押出成形がある。前記した記録装置やＯＡ機器に使用する磁石としては、薄肉かつ精密な形状でなければならないこと並びにコストの面から、ボンド磁石が主に使用されている。
【０００５】
このようなボンド磁石の製造方法には、例えば射出成形が挙げられる。該射出成形では、磁石粉末を熱可塑性樹脂からなるバインダーと混合してコンパウンドとし、このコンパウンドを溶融して十分な流動性を持たせ、その溶融状態のコンパウンドに圧力をかけて小さな吐出口から樹脂の凝固温度以下の金型内に吐出して、金型内のキャビティに送り込み、そのキャビティの形状に固化してボンド磁石とする。
【０００６】
また永久磁石を、その結晶構造上の磁化容易軸に起因する磁気的配向に着目すると、等方性磁石と異方性磁石とに大別できる。等方性磁石では、磁化容易軸の方向が揃っておらず、配向されていない。しかしながら、この等方性磁石は、製造の容易さ、コストの安さの観点から多用されている。それに対し、異方性磁石とは、磁石を成形する段階で磁化容易軸の方向が揃えられた、つまり配向されたものである。従って、この異方性磁石は、成形時に磁化容易軸の方向を揃えるために配向磁界を印加する必要があるが、磁化容易軸が揃っているため等方性磁石よりも磁石特性が優れたものとなる。
【０００７】
前記等方性磁石は任意の方向に着磁でき、モーター等に組み込む前に着磁して、該着磁磁界の方向に対応するＮ極とＳ極を形成する必要がある。着磁の方法には、磁石表面の磁束密度分布が矩形波になる矩形波着磁と正弦波になる正弦波着磁とがあり、さらに該正弦波着磁には内周面に着磁する場合と外周面に着磁する場合とがある。各着磁方法における磁石Ｍ中での極性Ａを図１〜３で図示する。図１は矩形波着磁した場合を図示し、図２は内周面ｓ２に正弦波着磁した場合を図示し、また図３は外周面ｓ１に正弦波着磁した場合を図示する。
【０００８】
一方、異方性磁石では成形時に配向磁界が加えられ、磁化容易軸の方向に対応してＮ極とＳ極とが形成がされている。成形後、さらにこの配向により付与されたＮ極とＳ極に極
性を合わせて着磁されて磁石として用いられる。この異方性磁石には、ラジアル異方性磁石と極異方性磁石がある。ラジアル異方性磁石中の極性は矩形波着磁した等方性磁石のものと同様であり（図１参照。）、また磁石表面の磁束密度分布も同様に矩形波となる。これに対して極異方性磁石中の極性は正弦波着磁した等方性磁石のものと同様であり（図２および図３参照。）、また磁石表面の磁束密度分布も同様に正弦波となる。さらに、極異方性磁石の場合に、磁石の外周面および内周面のうち、一方の面に沿ってＮＳ極が現れ、それとは逆の面には殆ど磁束が現れない点も正弦波着磁した等方性磁石と同様である。
【０００９】
ところで、ラジアル異方性磁石をモーターに組み込んだ場合、コギングの原因となることが知られている。コギングトルクによる回転ムラは、高密度化が求められている記録媒体用のスピンドルモーターにとって致命的である。しかしながら、ラジアル異方性磁石は極異方性磁石と比較して容易に製造できる利点を有する。
【００１０】
ラジアル異方性の配向を施すためには、リング形状のキャビティに磁場を内周側から外周側に流して配向磁場を形成する必要がある。一般的な横型の磁場中射出成形機では、金型の前後のスペースに電磁石コイルを設け、そこで磁場を発生させて磁気ヨークで集め、金型の軸方向に向けて前後から磁場を流して金型内で衝突させ、リング状のキャビティの内周面から外周面に向けて磁場を流す方法が行われている。該磁場は、金型を支える支柱を通って元の電磁石コイルに戻ることとなる。
【００１１】
対照的に、極異方性磁石はモーターに組み込んだ場合にコギングを低減する。さらに、極異方性磁石は、その磁束密度分布の波形のピーク値が高くなるため有利である。しかしながら、極異方性磁石には製造上の制約が多いという問題がある。さらに、リング磁石を薄肉化することも困難である。これは、例えば内周面着磁の場合、薄肉化により磁束が肉厚中に収まらず、外側に漏れてしまうことから生じる。磁束が漏れてしまうと、極異方性磁石の表面磁束は矩形波に近づき、台形波となってしまう。この対策として、極異方性磁石の外側に磁性材料からなるバックヨークを取付けることが行われているが、該バックヨークに逃げた磁束の分だけロスが生じてしまう。このため、モーターに組み込んだ場合の効率が低下する。
【００１２】
前記極異方性磁石の製造は、外周側に極異方性の配向を施す場合、金型に設けられたリング状キャビティーの外周面にＮ極とＳ極とが現れるよう、該キャビティーの外側に永久磁石あるいは配向コイルを埋め込んだ構成の金型を用いて行われる。該金型ではキャビティーに極異方性配向磁界が形成されており、そしてボンド磁石の場合には、磁性粉末と樹脂バインダーとからなる溶融したコンパウンドを該金型キャビティー中に射出充填し、冷却後に金型から取り出すことにより、上記した極異方性磁石を製造することができる。これとは逆に、内周側に極異方性の配向を施す場合、該キャビティーの内側に永久磁石あるいは配向コイルを埋め込んだ構成の金型を用いて行なわなければならない。
該金型ではキャビティーに極異方性配向磁界が形成されており、そしてボンド磁石の場合には、磁性粉末と樹脂バインダーとからなる溶融したコンパウンドを該金型キャビティー中に射出充填し、冷却後に金型から取り出すことにより、上記した極異方性磁石を製造することができる。
【００１３】
また異方性磁石の磁場形成に関しては、配向コイルによる静磁場を用いる方法（電磁石方式）、配向コイルによるパルス磁場を用いる方法、および永久磁石による磁気回路を用いる方法（永久磁石方式）がある。これらのうちパルス磁場を用いる方法は、パルス磁場の発生時間内に成形を完了させる必要があるため、圧縮成形には適用されているものの射出成形および押出成形には用いられていない。
【００１４】
従来の極異方性磁石は、フェライト射出成形ボンド磁石またはフェライト焼結磁石で製
造されたものがほとんどで、希土類金属系磁石で製造されたものはなかった。その理由は、希土類ボンド磁石では成形工程において、また希土類焼結磁石では焼結工程前の圧粉体成形工程において、成形金型のキャビティー内で磁性粉末を配向させることが困難であったためである。
【００１５】
磁石成形時に金型キャビティー中で磁石粉末を配向させるために印加する磁界は、大きければ大きいほど望ましい。例えば、約８００ｋＡ／ｍの非常に高い保磁力を有する異方性のＮｄ−Ｆｅ−Ｂ系磁石を磁場中で配向させるには、最低でもその１．５倍の約１２００ｋＡ／ｍ以上の配向磁場が必要と見積もられる。しかしながら、成形しようとする極異方性磁石の寸法および極数、キャビティーに接するスリーブの材質および肉厚、永久磁石または配向コイルもしくは磁気回路を構成するヨーク材の材質、磁気回路を埋め込むために許容される空間の大きさ等により印加し得る磁界の強度は制限を受ける。特に、リング形状の磁石の内周面を配向するためには、ダイセット中のリング形状のキャビティーよりも内周側に銅線を巻いた配向用のコイルを組み込まなければならないが、磁石を完全に配向させるためにコイルの巻き数を多くするか、または大きな電流を流すことで強力な磁場を発生させる必要がある。さらに、配向コイルを内蔵したダイセットは成形時に大きなプレス圧が掛かるため、ある程度の強度を持たせる必要もある。そして、これらの条件を満たすことは従来不可能であった。
【００１６】
希土類金属系磁石の場合、現在使用されているボンド磁石は、異方性磁石よりも磁気特性が劣る等方性磁石が主流である。さらにボンド磁石では樹脂バインダーの介在により磁性相の占める体積比が低くなるため、磁石特性を示すエネルギー積は、焼結磁石や熱間加工磁石の２０〜３０％程度に止まってしまう。
【００１７】
そこで、希土類ボンド磁石のエネルギー積を改善する手段が種々検討されている。該手段の一つとして、フレキシブル磁石が挙げられる（例えば、特許文献１および２参照。）。フレキシブル磁石とは、異方性の磁石を配向させてフレキシブルなシート状としたもので、モーターに組み付ける際には、シート状の磁石を丸めてリング状とする。しかしながら、磁石シートを丸め、その両端を接合してリング形状にするという複雑な工程が必要となり、さらにはモーターに組み込んだ場合、接合部分が磁場の乱れを起こしてモーター特性を劣化させる惧れがあるという問題もある。
【特許文献１】特開２００２−３４３６２３公報
【特許文献２】特開２００３−３１８０５２公報
【００１８】
また、より配向し易い磁石粉末についての検討を行っている例もある（例えば、特許文献３および４参照。）。しかしながら、内周面着磁でかつ多極を有する極異方性磁石について適用することについての示唆はない。
【特許文献３】特開２０００−１９５７１３公報
【特許文献４】特開２０００−１９５７１４公報
【００１９】
さらに、極異方性に配向された磁石リングと、ラジアル異方性に配向された磁石リングとを組み合わせて使用することも考案されている（例えば、特許文献５および６参照。）。
【特許文献５】特公平７−１７２６号公報
【特許文献６】特公平７−１７２７号公報
【発明の開示】
【発明が解決しようとする課題】
【００２０】
ＨＤＤ、ＤＶＤ等の磁気式／光学式記録装置の駆動用として、近年使用量が増大しているモーターにアウターローター型のブラシレスＤＣモーターがある。そしてこれらの装置
に対する小型化、高性能化の要求は非常に強い。従って、小型かつ薄型で、高性能な磁石が必要となる。さらにアウターローター型であることからリング形状の磁石の内周面を着磁しなければならなず、また記録装置の記録密度を向上させるためにモーターを高速かつ滑らかに回転させることが要求される。そのため、小型かつ薄型であることに加え、極数を多くすることおよび正弦波に着磁することが求められる。即ち、最も望ましい磁石は、小型かつ薄型で、多極を有する極異方性のものである。
【００２１】
また、インナーローター型のモーターとしては、プリンター等のＯＡ機器の制御用として多用されているステッピングモーターが挙げられる。該ステッピングモーターにおいて、正弦波着磁が可能であればより大きなトルクを得ることができ、また、該ステッピングモーターはＤＣモーターと比較してコギングが大きいという問題があるが、コギングを低減するためにも、極数を多くすることと正弦波に着磁することは有効である。よってＤＣモーターの場合と同様、最も望ましいのは、多極を有する極異方性の磁石となる。
【００２２】
ただし、モーターのコギングを低く抑えるためには、モーターの逆起電圧定数が「正弦波形状」になることが必要である。磁石を「正弦波形状の磁束密度分布」に近づけると、モーターの逆起電圧定数も「正弦波形状」に近づく傾向にはあるものの、差異は生じる。これは、モーターの基本設計である磁気回路を構成する鉄芯と巻線コイル、そして磁石との兼ね合いによる。このため、単に極異方性の磁石を実現するだけでなく、適用するモーターの基本設計に応じて磁石の配向状態を適切に制御できることが重要となる。
【００２３】
本発明は上記の問題点に鑑みてなされたものであって、高性能なリング形状の異方性ボンド磁石、とりわけ小型かつ薄型で、多極を有する極異方性ボンド磁石およびその製造方法を提供することを目的とする。
【課題を解決するための手段】
【００２４】
本発明の第１観点は、
複数の極を有するリング形状の異方性ボンド磁石であって、
該異方性ボンド磁石をリング中心軸に沿って縦分割した形状の複数の部材であって、異方性磁石粉末を含む部材から構成され、
各々の部材中の異方性磁石粉末は、略横断面上において時計回り周方向または反時計回り周方向に配向し、かつ各々の部材について、該部材の略一半分の領域では異方性磁石粉末の配向方向がリング外周面からリング内周面に向かう方向となり、該部材の略他半分の領域では異方性磁石粉末の配向方向がリング内周面からリング外周面に向かう方向となるように異方性磁石粉末が配向し、そして
該縦分割形状の複数の部材が、隣り合う部材間で異方性磁石粉末の配向方向が互いに逆方向となるように組み立てられてリング形状体を形成している
ことを特徴とする異方性ボンド磁石
である。
本発明の第２観点は、
複数の極を有するリング形状の異方性ボンド磁石であって、
該異方性ボンド磁石を二分割した形状の部材であって、各々、リング形状の端部と該端部より長手方向に延びる幾つかの延長部とからなり、それぞれ異方性磁石粉末を含む二つの部材から構成され、
二つの部材のうち一方の部材中の異方性磁石粉末は、略横断面上において時計回り周方向に、そして他方の部材中の異方性磁石粉末は、略横断面上において反時計回り周方向に配向し、かつ二つの部材について、該延長部の略一半分の領域では異方性磁石粉末の配向方向がリング外周面からリング内周面に向かう方向となり、該延長部の略他半分の領域では異方性磁石粉末の配向方向がリング内周面からリング外周面に向かう方向となるように異方性磁石粉末が配向し、そして
該二つの部材が組み立てられてリング形状体を形成している
ことを特徴とする異方性ボンド磁石
である。
本発明の第３観点は、
複数の極を有するリング形状の異方性ボンド磁石であって、
該異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材から構成され、
該極領域部材中の異方性磁石粉末は、略横断面上においてリング中心に近づく方向またはその反対方向のいずれかに配向し、かつ該非極領域部材中の異方性磁石粉末は、略横断面上において時計回り周方向または反時計回り周方向のうちのいずれかに配向し、そして
該複数の極領域部材と複数の非極領域部材とが交互に並び、該極領域部材同士の隣り合う部材間で異方性磁石粉末の配向方向が逆方向となるように、また該非極領域部材同士の隣り合う部材間で異方性磁石粉末の配向方向が逆方向となるように、複数の極領域部材と複数の非極領域部材とが組み立てられてリング形状体を形成している
ことを特徴とする異方性ボンド磁石
である。
本発明の第４観点は、
複数の極を有するリング形状の異方性ボンド磁石であって、
該異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材から構成され、
該極領域部材中の異方性磁石粉末は無配向であり、かつ該非極領域部材中の異方性磁石粉末は、略横断面上において時計回り周方向または反時計回り周方向のうちのいずれかに配向し、そして
該複数の極領域部材と複数の非極領域部材とが交互に並び、該非極領域部材同士の隣り合う部材間で異方性磁石粉末の配向方向が逆方向となるように、複数の極領域部材と複数の非極領域部材とが組み立てらえてリング形状体を形成している
ことを特徴とする異方性ボンド磁石
である。
本発明の第５観点は、
複数の極を有するリング形状の異方性ボンド磁石であって、
該異方性ボンド磁石を二分割した形状の部材であって、各々、リング形状の端部と該端部より長手方向に延びる幾つかの延長部とからなり、それぞれ異方性磁石粉末を含む二つの部材から構成され、
二つの部材のうち一方の部材中の異方性磁石粉末は、略横断面上においてリング中心に近づく方向またはその反対方向のいずれかに配向し、そして他方の部材中の異方性磁石粉末は、略横断面上において時計回り周方向または反時計回り周方向のうちのいずれかに配向し、かつ二つの部材について、該延長部同士の隣り合う部間で異方性磁石粉末の配向方向が逆方向となるように異方性磁石粉末が配向し、そして
該二つの部材が組み立てられてリング形状体を形成している
ことを特徴とする異方性ボンド磁石
である。
本発明の第６観点は、
複数の極を有するリング形状の異方性ボンド磁石であって、
該異方性ボンド磁石を二分割した形状の部材であって、各々、リング形状の端部と該端部より長手方向に延びる幾つかの延長部とからなり、それぞれ異方性磁石粉末を含む二つの部材から構成され、
二つの部材のうち一方の部材中の異方性磁石粉末は無配向であり、そして他方の部材中の異方性磁石粉末は、略横断面上において時計回り周方向または反時計回り周方向のうちの
いずれかに配向し、かつ異方性磁石粉末を配向させた部材について、該延長部同士の隣り合う部間で異方性磁石粉末の配向方向が逆方向となるように異方性磁石粉末が配向し、そして
該二つの部材が組み立てられてリング形状体を形成している
ことを特徴とする異方性ボンド磁石
である。
本発明の第７観点は、
前記異方性ボンド磁石の断面リング形状が同心円でなく、内周のみ、外周のみ、または内周および外周共に楕円であることを特徴とする、第１ないし第６観点のいずれか一つに記載の異方性ボンド磁石
である。
本発明の第８観点は、
内周面が正弦波着磁されていることを特徴とする、第１ないし第７観点のうちのいずれか一つに記載の異方性ボンド磁石
である。
本発明の第９観点は、
外周面が正弦波着磁されていることを特徴とする、第１ないし第７観点のうちのいずれか一つに記載の異方性ボンド磁石
である。
本発明の第１０の観点は、
複数の極を有するリング形状の異方性ボンド磁石を製造する方法であって、
先ず、製造すべき異方性ボンド磁石をリング中心軸に沿って縦分割した形状の複数の部材であって、異方性磁石粉末を含む部材を製造し、
その製造の際、各々の部材中の異方性磁石粉末を、略横断面上において時計回り周方向または反時計回り周方向に配向せしめ、かつ各々の部材について、該部材の略一半分の領域では異方性磁石粉末の配向方向がリング外周面からリング内周面に向かう方向となり、該部材の略他半分の領域では異方性磁石粉末の配向方向がリング内周面からリング外周面に向かう方向となるように異方性磁石粉末を配向せしめ、そして
製造された縦分割形状の複数の部材を、隣り合う部材間で異方性磁石粉末の配向方向が互いに逆方向となるように組み立ててリング形状体を形成する
ことを特徴とする異方性ボンド磁石の製造方法
である。
本発明の第１１の観点は、
先ず、前記縦分割形状の複数の部材を異方性磁石粉末の配向方向が異なる二つの組に分け、次いで、一方の組を前記リング形状体の中心空洞に対応する形状の円柱状治具に取り付け、他方の組を前記リング形状体を取り囲む円筒状治具に取り付け、そして該円柱状治具を該円筒状治具に挿入することにより、前記縦分割形状の複数の部材を組み立ててリング形状体を形成することを特徴とする、請求項１０記載の異方性ボンド磁石の製造方法
である。
本発明の第１２の観点は、
複数の極を有するリング形状の異方性ボンド磁石を製造する方法であって、
先ず、製造すべき異方性ボンド磁石を二分割した形状の部材であって、各々、リング形状の端部と該端部より長手方向に延びる幾つかの延長部とからなり、それぞれ異方性磁石粉末を含む二つの部材を製造し、
その製造の際、二つの部材のうち一方の部材中の異方性磁石粉末を、略横断面上において時計回り周方向に、そして他方の部材中の異方性磁石粉末を、略横断面上において反時計回り周方向に配向せしめ、かつ二つの部材について、該延長部の略一半分の領域では異方性磁石粉末の配向方向がリング外周面からリング内周面に向かう方向となり、該延長部の略他半分の領域では異方性磁石粉末の配向方向がリング内周面からリング外周面に向かう方向となるように異方性磁石粉末を配向せしめ、そして
製造された二分割された部材を組み立ててリング形状体を形成する
ことを特徴とする異方性ボンド磁石の製造方法
である。
本発明の第１３の観点は、
複数の極を有するリング形状の異方性ボンド磁石を製造する方法であって、
先ず、製造すべき異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材を製造し、
その製造の際、極領域部材中の異方性磁石粉末を、略横断面上においてリング中心に近づく方向またはその反対方向のいずれかに配向せしめ、かつ非極領域部材中の異方性磁石粉末を、略横断面上において時計回り周方向または反時計回り周方向のうちのいずれかに配向せしめ、そして
製造された複数の極領域部材と複数の非極領域部材とを交互に並べ、該極領域部材同士の隣り合う部材間で異方性磁石粉末の配向方向が逆方向となるように、また該非極領域部材同士の隣り合う部材間で異方性磁石粉末の配向方向が逆方向となるように、複数の極領域部材と複数の非極領域部材とを組み立ててリング形状体を形成する
ことを特徴とする異方性ボンド磁石の製造方法
である。
本発明の第１４の観点は、
複数の極を有するリング形状の異方性ボンド磁石を製造する方法であって、
先ず、製造すべき異方性ボンド磁石をリング中心軸に沿って縦分割した形状の部材であって、該極の部分に対応する複数の極領域部材と、該極に隣接する部分に対応する複数の非極領域部材とからなる異方性磁石粉末を含む二種類の部材を製造し、
その製造の際、極領域部材中の異方性磁石粉末を無配向とし、かつ非極領域部材中の異方性磁石粉末を、略横断面上において時計回り周方向または反時計回り周方向のうちのいずれかに配向せしめ、そして
製造された複数の極領域部材と複数の非極領域部材とを交互に並べ、該非極領域部材同士の隣り合う部材間で異方性磁石粉末の配向方向が逆方向となるように、複数の極領域部材と複数の非極領域部材とを組み立ててリング形状体を形成する
ことを特徴とする異方性ボンド磁石の製造方法
である。
本発明の第１５観点は、
前記極領域部材または前記非極領域部材の一方を前記リング形状体の中心空洞に対応する形状の円柱状治具に取り付け、他方を前記リング形状体を取り囲む円筒状治具に取り付け、そして該円柱状治具を該円筒状治具に挿入することにより、前記縦分割形状の複数の部材を組み立ててリング形状体を形成することを特徴とする、第１３または第１４観点に記載の異方性ボンド磁石の製造方法
である。
本発明の第１６観点は、
複数の極を有するリング形状の異方性ボンド磁石を製造する方法であって、
先ず、製造すべき異方性ボンド磁石を二分割した形状の部材であって、各々、リング形状の端部と該端部より長手方向に延びる幾つかの延長部とからなり、それぞれ異方性磁石粉末を含む二つの部材を製造し、
その製造の際、二つの部材のうち一方の部材中の異方性磁石粉末を、略横断面上においてリング中心に近づく方向またはその反対方向のいずれかに配向せしめ、そして他方の部材中の異方性磁石粉末を、略横断面上において時計回り周方向または反時計回り周方向のうちのいずれかに配向せしめ、かつ二つの部材について、該延長部同士の隣り合う部間で異方性磁石粉末の配向方向が逆方向となるように異方性磁石粉末を配向せしめ、そして
製造された二分割された部材を組み立ててリング形状体を形成する
ことを特徴とする異方性ボンド磁石の製造方法
である。
本発明の第１７観点は、
複数の極を有するリング形状の異方性ボンド磁石を製造する方法であって、
先ず、製造すべき異方性ボンド磁石を二分割した形状の部材であって、各々、リング形状の端部と該端部より長手方向に延びる幾つかの延長部とからなり、それぞれ異方性磁石粉末を含む二つの部材を製造し、
その製造の際、二つの部材のうち一方の部材中の異方性磁石粉末を無配向とし、そして他方の部材中の異方性磁石粉末を、略横断面上において時計回り周方向または反時計回り周方向のうちのいずれかに配向せしめ、かつ異方性磁石粉末を配向させた部材について、該延長部同士の隣り合う部間で異方性磁石粉末の配向方向が逆方向となるように異方性磁石粉末を配向せしめ、そして
製造された二分割された部材を組み立ててリング形状体を形成する
ことを特徴とする異方性ボンド磁石の製造方法
である。
本発明の第１８の観点は、
最終的に得られる異方性ボンド磁石の断面リング形状が同心円でなく、内周のみ、外周のみ、または内周および外周共に楕円であることを特徴とする、第１０ないし第１７観点のいずれか一つに記載の異方性ボンド磁石の製造方法
である。
本発明の第１９観点は、
内周面に正弦波着磁することを特徴とする、請求項１０ないし１８のうちのいずれか一項に記載の異方性ボンド磁石の製造方法
である。
本発明の第２０観点は、
外周面に正弦波着磁することを特徴とする、請求項１０ないし１８のうちのいずれか一項に記載の異方性ボンド磁石の製造方法
である。
【発明の効果】
【００２５】
本発明によれば、外周側に設置したコイルや磁石によって極異方性に配向可能なリング形状の異方性ボンド磁石を製造することができる。従来、リング形状の磁石の内周面を極異方性に配向させる場合、配向コイルはダイセット中のリング形状のキャビティーの内側に配置しなければならなず、そのような狭い空間に、大きな配向磁場を形成し得る永久磁石、配向コイル等を設置することは不可能であった。しながら、本発明の異方性ボンド磁石は、配向コイルをキャビティーの外側に配置できるため、小型化かつ薄型化の磁石であっても配向が可能となり、さらにより大きな配向磁場を必要とする希土類ボンド磁石をも製造することができ、多極を持つリング形状の異方性ボンド磁石が製造可能である。
【００２６】
このような本発明の異方性ボンド磁石は、リング状の半径方向に多極のＮ極とＳ極を極異方性に配向しているため、永久磁石型モータ用の永久磁石として特に有効である。
【発明を実施するための最良の形態】
【００２７】
本発明の異方性ボンド磁石を構成する磁石粉末は、Ｎｄ−Ｆｅ−Ｂ系希土類磁石、Ｓｍ−Ｆｅ−Ｎ系希土類磁石、Ｓｍ−Ｃｏ系希土類磁石等のいずれでも良く、またこれらを２種以上を組み合わせて使用しても良い。
【００２８】
具体的に言うと、Ｎｄ−Ｆｅ−Ｂ系には、Ｎｄ2Ｆｅ14Ｂの他、Ｎｄ2Ｆｅ14Ｂとα−Ｆｅとのナノコンポジット磁石、Ｎｄ2Ｆｅ14ＢとＦｅ3Ｂとのナノコンポジット磁石がある。Ｓｍ−Ｆｅ−Ｎ系には、Ｓｍ2Ｆｅ17Ｎ3とＳｍＦｅ9Ｎ1.5とがある。Ｓｍ−Ｃｏ系には、ＳｍＣｏ5とＳｍ2Ｃｏ17とがある。いずれの磁石においても、ＣｏまたはＦｅを同じ鉄
族元素（Ｆｅ、Ｃｏ、Ｎｉ）で置換したものや、ＮｄまたはＳｍを同じ希土類金属元素（Ｙを含む）で置換したものも含まれる。
【００２９】
さらに、磁石特性や配向等を制御する目的で、必要に応じて等方性と異方性の磁石粉末を組み合わせても構わない。例えば、円周方向に配向する領域に異方性の磁石粉末を用い、無配向とする領域に等方性の磁石粉末を用いることができる。従って、異方性のボンド磁石を得るためには、必ずしもその磁石粉末全てを異方性のものとしなければならない訳ではない。しかしながら、異方性のボンド磁石を得るためには、基本的には異方性の磁石粉末を使用しなければならず、必ず１種以上は異方性磁石粉末を使用する必要がある。
【００３０】
さらに希土類磁石の磁石特性を調整する目的で、Ｂａ系フェライトまたはＳｒ系フェライトと混合して用いてもよい。これらには、通常用いられているマグネトプランバイト型（Ｍ型）結晶構造をとるものの他に、Ｗ型結晶構造をとるものもある。
【００３１】
上記の磁石粉末の平均粒径は特に限定されないが、２０〜５０μｍが好ましい。粗大粒はコンパウンドの流動性を損なうのでカットした方が望ましい。凡そ１００μｍ以下が目安となる。これらを満たした上で粒度分布をある程度広く取ると、流動性が向上する。
【００３２】
上記の磁石粉末を他の成分と混合してコンパウンドとし、該コンパウンドを成形して本発明の磁石が製造されるが、使用する樹脂バインダーは磁石粉末の結合剤として働くものであり、樹脂バインダーを構成する樹脂は特に限定されない。該樹脂としては例えば、熱可塑性樹脂である６ナイロン、１２ナイロン等が挙げられる。また、所要により２種以上の熱可塑性樹脂を混合して使用しても良い。
【００３３】
前記樹脂バインダーの含有量は、磁石粉末と樹脂バインダーを含めたコンパウンド全体に対する体積比で２０％以上、５０％以下とする。樹脂バインダーを５０％よりも多く充填した場合、ボンド磁石の磁束密度が著しく低下する。逆に、２０％より少ないと著しく成形性が低下し所望の成形体が得られない。
【００３４】
また前記コンパウンドを製造するとき、添加物としてカップリング剤、滑剤や安定剤等を使用してもよい。滑剤として一般的に使用されているものには、例えば、ステアリン酸カルシウムやステアリン酸亜鉛等の金属石鹸がある。この滑剤の使用により、金型充填性や離型性が向上するだけでなく、圧縮性が向上して成形体密度も増加する。
【００３５】
上記の磁石粉末、樹脂バインダー等を、例えばナウターミキサー、ヘンシェルミキサー、ニーダー、単軸押出機、２軸押出機等の混練機を使用して混合混練し、そして適当な形状、例えばペレット形状に造粒、整粒することにより異方性ボンド磁石用のコンパウンドが製造できる。造粒、整粒にはホットカッター方式やストランドカッター方式を採用し得る。
【００３６】
前記コンパウンドを、配向磁界発生側のダイセット中のキャビティーに必要な強度の磁界が印加できる金型に射出成形することによって、本発明の異方性ボンド磁石を形成する各種部材が得られる。ここで必要となる配向磁界の強さは、射出されるコンパウンドを構成する磁石粉末の特性、特に保磁力に依存して決定される。該配向磁界の強さは、凡そ磁石粉末の保磁力の１．５倍を目安にすれば良い。また、射出成形時のシリンダー温度はボンド磁石の溶融温度以上に、また金型温度は固化温度以下に設定する。一般的には、１８０〜３００℃の範囲内のシリンダー温度で行なわれている。また、金型温度は磁石特性と生産性に影響を及ぼす。この温度が高いと成形時間が長くなり、逆に低いと磁石特性が低下するが、一般的には室温〜１２０℃の範囲が選択される。
【００３７】
前記ダイセット中のキャビティーにコンパウンドを射出充填する際のゲートは、最終的にリング形状体とした場合に端面となる部位に配置されるのが一般的である。
【００３８】
配向磁界の形成方法は特に限定されず、永久磁石方式、配向コイルによる電磁石方式のいずれでも良い。
【００３９】
また本発明の異方性ボンド磁石は、異なる領域において、それぞれ異なる磁石特性を有する材料を使用することもできる。
【００４０】
本発明の異方性ボンド磁石は、取り扱いを容易にする、ゴミ等の付着を防止する等の目的から一旦脱磁しても良い。そして必要に応じて磁石表面をコーティングし、着磁した後、ローターあるいはステーターに組み込まれ、モーター等に使用され得る。
【００４１】
前記コーティングと前記着磁の順序はどちらが先でも構わない。該コーティングは磁石の錆びを防止するために行なわれるが、磁石粉末に対して樹脂バインダーの量が多い場合には磁石は錆び難いものとなるため、コーティング工程を省略しても構わない。該コーティングの方法には、樹脂をスプレーで塗布する方法、Ｎｉ等の金属でメッキする方法等がある。
【００４２】
以下、図面を参照して本発明をより詳細に説明するが、これらの図は本発明をある特定の態様に制限することを意図しない。
【００４３】
図４は、本発明の第１観点に係る異方性ボンド磁石の一態様を図示する。図４で図示する態様の異方性ボンド磁石は４極を有し、該極の各々の中心でリング中心軸Ｚに沿って縦分割した形状の四つの部材ａ１〜ａ４から形成されている。ここで各部材は、該製造の際に、各々の部材中の異方性磁石粉末を、略横断面上において略時計回り周方向Ｄ２または略反時計回り周方向Ｄ１のうちのいずれか一方向に配向されており、ａ１およびａ３が反時計回り周方向Ｄ１に、そしてａ２およびａ４は時計回り周方向Ｄ２に配向されている。そして各々の部材における異方性磁石粉末の配向方向は、部材の略一半分の領域では異方性磁石粉末の配向方向がリング外周面ｓ１からリング内周面ｓ２に向かう方向となり、該部材の略他半分の領域では異方性磁石粉末の配向方向がリング内周面ｓ２からリング外周面ｓ１に向かう方向となっている。そしてａ１〜ａ４の各部材を組み立ててリング形状体が形成されているが、該組み立ては、隣接する部材間で逆方向となるように成されている。
【００４４】
図４で図示される部材ａ１〜ａ４を配向するには、具体的には、配向コイルをキャビティーＣの外周側に設置し、軟磁性を示す鉄製のヨークなどによって図５で図示するような配向磁場Ｈを形成すればよい。永久磁石を用いる場合も同様である。
【００４５】
図６は、本発明の第３観点に係る異方性ボンド磁石の一態様を図示する。図６で図示する態様の異方性ボンド磁石は４極を有し、製造すべき異方性ボンド磁石をリング中心軸Ｚに沿って縦分割した形状の部材であって、該極の部分に対応する四つの極領域部材ｂ１〜ｂ４と、該極に隣接する部分に対応する四つの非極領域部材ｃ１〜ｃ４とから形成されている。ここで、各極領域部材中の異方性磁石粉末は、略横断面上においてリング中心に近づく方向Ｄ５またはその反対方向Ｄ６のいずれかに配向されているが、ｂ１およびｂ３とｂ２およびｂ４とでは配向方向が異なり、ｂ１およびｂ３が中心に近づく方向Ｄ３に配向されているのに対し、ｂ２およびｂ４はその逆方向Ｄ４に配向されている。また各非極領域部材中の異方性磁石粉末は、略横断面上において時計回り周方向Ｄ３または反時計回り周方向Ｄ４のうちのいずれかに配向されているが、ｃ１およびｃ３とｃ２およびｃ４とでは配向方向が異なり、ｃ１およびｃ３が反時計回り周方向Ｄ４に配向されているのに対し
、ｃ２およびｃ４は時計回り方向に周配向Ｄ３されている。そして極領域部材ｂ１〜ｂ４および非極領域部材ｃ１〜ｃ４を組み立ててリング形状体が形成されており、極領域部材と非極領域部材とが交互に並び、極領域部材同士の隣り合う部材間および非極領域部材同士の隣り合う部材間で異方性磁石粉末の配向方向が逆方向となっている。
【００４６】
図７は、本発明の第４観点に係る異方性ボンド磁石の一態様を図示する。図７で図示する態様の異方性ボンド磁石は４極を有し、製造すべき異方性ボンド磁石をリング中心軸Ｚに沿って縦分割した形状の部材であって、該極の部分に対応する四つの極領域部材ｂ１〜ｂ４と、該極に隣接する部分に対応する四つの非極領域部材ｃ１〜ｃ４とから形成されている。ここで、各極領域部材中の異方性磁石粉末は無配向である。また各非極領域部材中の異方性磁石粉末は、略横断面上において時計回り周方向Ｄ３または反時計回り周方向Ｄ４のうちのいずれかに配向されているが、ｃ１およびｃ３とｃ２およびｃ４とでは配向方向が異なり、ｃ１およびｃ３が反時計回り周方向Ｄ４に配向されているのに対し、ｃ２およびｃ４は時計回り方向Ｄ３に周配向されている。そして極領域部材ｂ１〜ｂ４および非極領域部材ｃ１〜ｃ４を組み立ててリング形状体が形成されており、極領域部材と非極領域部材とが交互に並び、非極領域部材同士の隣り合う部材間で異方性磁石粉末の配向方向が逆方向となっている。
【００４７】
従来であれば、リング形状の磁石の内周面ｓ２に正弦波の磁束密度分布が形成されるよう配向させる場合、配向コイルはダイセット中のリング形状のキャビティーの内側に配置しなければならなかった。しかしながら、本発明の構成とすることによって、配向コイルをキャビティーの内側ではなく外側に配置できることを見出した。これによって、磁石の小型化、薄型化、多極化が可能になる。さらに、異方性化によって磁石特性の向上が著しい。
【００４８】
ここで、図７で図示する本発明の異方性ボンド磁石では、極領域部材ｂ１〜ｂ４を無配向とすることによって、磁石の磁束が完全に閉じた系となる。結果として磁束は外に漏れないために、外見上は等方性磁石と変わらない「擬等方性磁石」となる。従来の異方性磁石の問題点として、完全には脱磁できないためにゴミの付着等によるコンタミの発生があったが、図７で図示する態様の異方性ボンド磁石ではこの問題を解決することができる。クリーンルーム中で組み立ての全工程が行われる程にコンタミを嫌うＨＤＤ用のスピンドルモーターを考慮した場合、「擬等方性磁石」としてコンタミ発生を抑制し得ることは著しい利点となる。
【００４９】
本発明の異方性ボンド磁石の製造方法では、予め各部材を製造した後に、それらを組み立てるが、該組み立てを容易にするために、前記リング形状体の中心部の空洞に対応する形状の円柱状治具ｄ１と、該リング形状体を取り囲む円筒状部材ｄ２とを利用することができる。例えば、図４で図示する態様の異方性ボンド磁石の組立では、図８に図示するように、部材ａ１〜ａ４を配向方向によりａ１およびａ３の組とａ２およびａ４の組に分け、一方の組み、例えばａ１およびａ３を円柱状治具ｄ１に、また他方の組み、即ちａ２およびａ４を円筒状治具ｄ２に取り付けられている。そして治具に取り付けた後、円柱状治具ｄ１を円筒状治具ｄ２に挿入することにより、異方性ボンド磁石が組み立てられる。
【００５０】
同様に、図６および図７で図示する態様の異方性ボンド磁石においても、治具ｄ１、ｄ２を利用することができる。これらの態様では、極領域部材ｂ１〜ｂ４および非極領域部材ｃ１〜ｃ４のうち、一方を円柱状部材ｄ１に取り付け、また他方を円筒状部材ｄ２に取り付けることにより、リング形状体を容易に組み立てることができる。
【００５１】
また本発明の異方性ボンド磁石は、製造すべき異方性ボンド磁石を二分割した形状の部材であって、各々、リング形状の端部ｅ１と端部ｅ１より長手方向に延びる幾つかの延長
部ｅ２とからなり、それぞれ異方性磁石粉末を含む二つの部材から製造することもできる。図８で図示する態様の異方性ボンド磁石は、図４に図示され態様のものに対応するが、図４のａ１およびａ３に相当する部材がその長手方向の端部のリング状部分で結合して一体化されて端部ｅ１と延長部ｅ２とからなる部材となり、また図４のａ２およびａ４に相当する部材が一体化されて端部ｅ１’と延長部ｅ２’とからなる部材となり、二分割された部材を組み立ててリング形状体を形成することができる。
【００５２】
同様に、図６および図７で図示する態様においても、極領域部材および／または非極領域部材を、端部ｅ１と延長部ｅ２とからなる一体化された部材として、本発明の異方性ボンド磁石を製造することもできる。
【００５３】
こうして製造される本発明の異方性ボンド磁石は、モーターに組み込む前に、着磁して使用することができ、該着磁は例えば、ボンド磁石の内周側ｓ２に正弦波着磁して行われる。
【００５４】
図４で図示する態配向状態の異方性ボンド磁石は、着磁せずにモーターに組み込んで使用しても構わない。しかしながら、実際のモーターの組立工程では、異方性の磁石は取り扱いが困難なために一旦脱磁される。従って着磁工程が必要となる。
【００５５】
また図６で図示する配向状態では、異方性ボンド磁石内部の極性は、極異方性に準じた配向状態となっている。これをさらに着磁ヨークにより、例えば磁石の内側に、図１０で図示するような磁場Ｈで、正弦波の表面磁束密度分布が形成されるよう成形時に付与されたＮ極とＳ極に準じて着磁することによって極異方性磁石が得られる。
【００５６】
図７で図示する配向状態では、上記したように「擬等方性磁石」になっているため、磁化されていないように取り扱うことができる。しかしながら、磁石内部の結晶構造は完全に異方性磁石となっており、これをさらに着磁ヨークで、例えば磁石の内側に、図１０で図示するような磁場Ｈで、正弦波の表面磁束密度分布が形成されるように成形時に付与されたＮ極とＳ極に準じて着磁することによって極異方性磁石が得られる。
【００５７】
また本発明の異方性ボンド磁石では、極領域ａと非極領域ｂとの割合を任意に変化させることができる。４つの極を設けた場合、例えば図１１で図示するように、極領域ａの角度αと非極領域ｂの角度βの関係はα＋β＝９０°となる。この関係を満たす範囲内であれば、角度αおよび角度βは任意であり、該角度に応じて極領域ａと非極領域ｂとの割合が変化する。
【００５８】
また、極領域ａと非極領域ｂとが接する面と異方性ボンド磁石が形成するリング形状体の半径方向とがなす角度を任意に変化させることもできる。即ち、図１２で図示した角度θを正および負の方向に変化させることによって、表面磁束密度分布を任意に制御することができる。例えば図１３で図示するように、リング形状の磁石の内周面をマグネットアナライザにて測定した結果は、θ＝０の場合には太線で示す正弦波よりも多少丸い形状の波形となる。しかしながら、適切な分だけ角度θの値を正の方向に変化させることによって、破線で示すきれいな正弦波の波形が得られる。また、さらにθの値を正の方向に変化させると、細線で示す尖った波形となる。逆に、θの値をの負の方向に変化させることにより、太線よりもさらに丸い波形を得ることができる。
この他に、最終的に得られる異方性ボンド磁石の断面リング形状を同心円とせず、内周のみ、外周のみ、または内周および外周共に楕円とすることによって、磁束密度分布を制御する方法もある。内周を同心円、そして外周を楕円とした二つの極Ｐ１およびＰ２を有する磁石Ｍの例を図１４に図示する。
【００５９】
「発明が解決しようとする課題」で述べたように、モーターのコギングを低く抑えるためには、単に極異方性の磁石を実現するだけでなく、適用するモーターの基本設計に応じて磁石の配向状態を適切に制御しなければならない。このために、上記した各手法を用いることができる。
【００６０】
以下の例で本発明をより詳細に説明するが、これらの例は本発明をある特定の態様に制限することを意図しない。
【００６１】
比較例１
異方性のＳｍ−Ｆｅ−Ｎ磁石粉末を６０体積％、１２ナイロンを４０体積％と極微量のカップリング剤を混合し、混練機を用いて混練、押出しした。これをストランドカッター方式によって造粒、整粒し、ボンド磁石用ペレット（混合物）を作製した。
このペレットを用いて、射出成形機にて８０×１０×５ｍｍの板材を射出成形した。このときのシリンダー温度は２５０℃、金型温度は１００℃、および取り出した成形体の冷却方法は空冷とした。また、印加磁場は１２００ｋＡ／ｍとした。
得られた板材をＢ−Ｈカーブトレーサにてその磁石特性を評価した。最大エネルギー積：（ＢＨ）ｍａｘ、残留磁束密度：Ｂｒ，固有保磁力：ｉＨｃ、保磁力：ｂＨｃ、および配向度の結果を表１に示す。
【表１】
2005317845.tif 000003
【００６２】
比較例２
上記の比較例１と同じ異方性ボンド磁石用ペレットを用いて、外径：２０．０ｍｍ、内径：１７．５ｍｍ、高さ：２．５ｍｍのラジアル異方性ボンド磁石を射出成形した。このときのシリンダー温度は２５０℃、金型温度は１００℃、および取り出した成形体の冷却方法は空冷とした。
射出成形時には、ダイセットの外に配向コイルを設置し、軟鉄製のヨークで金型の軸方向に向けて前後から磁場を流して金型内で衝突させてリング状のキャビティの内周側から外周側に向かう磁場Ｈを形成した（図１５参照。）。印加磁場は１２００ｋＡ／ｍとした。
極異方性ボンド磁石を比較対象としなかったのは、このような小型のリング形状磁石を成形するキャビティーの内周側に、８極の極異方配向を施すために必要な磁場を発生し得る永久磁石も、配向コイルも設計する、埋め込むことは不可能であったためである。
次に、これらの成形体を消磁コイルにて一旦消磁した。そして、内周面に８極の極異方性になるように着磁ヨークを用い、パルス磁界を印加して着磁し、比較例２の磁石Ｍを作製した。
【００６３】
実施例１
上記の比較例１と同じ異方性ボンド磁石用ペレットを用いて、外径：２０．０ｍｍ、内径：１７．５ｍｍ、高さ：２．５ｍｍの内周面８極の極異方性ボンド磁石を作製した。
作製においては、磁石を円周方向に８等分し（図１６参照。）、各部材を個々に射出成形した。このときのシリンダー温度は２５０ ℃、金型温度は１００℃、および取り出した成形体の冷却方法は空冷とした。
射出成形時には、磁石を成形するキャビティーの外周側に配向コイルを設置し、軟鉄製のヨークによって、各部材について、図１６で図示するような方向の磁場Ｈを形成した。また、印加磁場は１２００ｋＡ／ｍとした。
次に、得られた部材を消磁コイルにて一旦消磁した。そして、図１６で図示するように部材を組み合わせて一つのリング形状の磁石とした後、内周に８極の極異方性のＮ極とＳ極と極性に沿うよう着磁ヨークを用い、パルス磁界を印加して着磁し、実施例１の磁石Ｍを作製した。
【００６４】
実施例２
上記の比較例１と同じ異方性ボンド磁石用ペレットを用いて、外径：２０．０ｍｍ、内径：１７．５ｍｍ、高さ：２．５ｍｍの内周面８極の極異方性ボンド磁石を作製した。
作製においては、磁石を円周方向に１６等分し（図１７参照。）、各部材を個々に射出成形した。このときのシリンダー温度は２５０ ℃、金型温度は１００℃、および取り出した成形体の冷却方法は空冷とした。
射出成形時には、磁石を成形するキャビティーの外周側に配向コイルを設置し、軟鉄製のヨークによって、各部材について、図１７で図示するような円周方向はまた半径方向の磁場Ｈを形成した。また、印加磁場は１２００ｋＡ／ｍとした。
次に、得られた部材を消磁コイルにて一旦消磁した。そして、図１７で図示するように部材を組み合わせて一つのリング形状の磁石とした後、着磁ヨークを用いてパルス磁界を印加し、成形時に付与されたＮ極とＳ極の極性に準じて、内周に正弦波の磁束密度分布が得られるよう着磁し、実施例２の磁石Ｍを作製した。
【００６５】
実施例３
上記の比較例１と同じ異方性ボンド磁石用ペレットを用いて、外径：２０．０ｍｍ、内径：１７．５ｍｍ、高さ：２．５ｍｍの内周面８極の極異方性ボンド磁石を作製した。
作製においては、磁石を円周方向に１６等分し（図１８参照。）、各部材を個々に射出成形した。このときのシリンダー温度は２５０ ℃、金型温度は１００℃、および取り出した成形体の冷却方法は空冷とした。
射出成形時には、磁石を成形するキャビティーの外周側に配向コイルを設置し、軟鉄製のヨークによって、各部材について、図１８で図示するような半径方向の磁場Ｈを形成した。また、印加磁場は１２００ｋＡ／ｍとした。なお、無配向とする部材の射出成形時には無磁場とした。
次に、得られた部材を消磁コイルにて一旦消磁した。そして、図１８で図示するように部材を組み合わせて一つのリング形状の磁石とした後、着磁ヨークを用いてパルス磁界を印加し、成形時に付与されたＮ極とＳ極の極性に準じて、内周に正弦波の磁束密度分布が得られるよう着磁し、実施例３の磁石Ｍを作製した。
【００６６】
そして、実施例１から実施例３および比較例２の磁石の内周の表面磁束密度を測定した。ここで、ホール素子を使用したマグネットアナライザーを用いた。結果を図１９に示す。
実施例１から実施例３において、着磁波形がきれいな正弦波や、これよりもとがった形状、丸い形状の波形が得られていることが判る。
これとは逆に、比較例２の着磁波形は矩形波であり、かつそのピーク値は、実施例１から実施例３のいずれのものよりも低い。
【図面の簡単な説明】
【００６７】
【図１】図１は、矩形波着磁した磁石中での極性、並びにラジアル異方性磁石中での極性を図示する模式図である。
【図２】図２は、内周面に正弦波着磁した磁石中での極性、並びに極異方性（内周側）磁石中での極性を図示する模式図である。
【図３】図３は、外周面に正弦波着磁した磁石中での極性、並びに極異方性（外周側）磁石中での極性を図示する模式図である。
【図４】図４は、本発明の第１観点に係る異方性ボンド磁石の一態様を図示する斜視図である。
【図５】図５は、図４で図示される部材ａ１〜ａ４を配向するために形成する配向磁場を図示する模式図である。
【図６】図６は、本発明の第３観点に係る異方性ボンド磁石の一態様を図示する斜視図である。
【図７】図７は、本発明の第４観点に係る異方性ボンド磁石の一態様を図示する斜視図である。
【図８】図８は、図４で図示される異方性ボンド磁石と同様の配向を有し、同じ方向に配向されている部材同士が一体化されている異方性ボンド磁石の一態様を図示する斜視図である。
【図９】図９は、図４で図示される異方性ボンド磁石を、各部材が円柱状部材および円筒状部材に取り付けた状態で図示する斜視図である。
【図１０】図１０は、図６および図７で図示する異方性ボンド磁石により形成される磁界を図示する模式図である。
【図１１】図１１は、極領域ａおよび非極領域ｂの比率を決定する角度αおよび角度βを図示する模式図である。
【図１２】図１２は、極領域ａと非極領域ｂとが接する面と異方性ボンド磁石が形成するリング形状体の半径方向とがなす角度θを図示する模式図である。
【図１３】図１３は、図１２で図示する角度θの変化による異方性ボンド磁石の内周面の表面磁束密度分布の変化を表すグラフである。
【図１４】図１４は、断面リング形状の内周を同心円、そして外周を楕円とした二つの極を有する磁石を図示する模式図である。
【図１５】図１５は、比較例２の磁石の極性を図示する模式図である。
【図１６】図１６は、実施例１の磁石の極性を図示する模式図である。
【図１７】図１７は、実施例２の磁石の極性を図示する模式図である。
【図１８】図１８は、実施例３の磁石の極性を図示する模式図である。
【図１９】図１９は、実施例１から実施例３と比較例２の磁石内周面の表面磁束密度分布を測定した結果を表すグラフである。
【符号の説明】
【００６８】
ａ      部材
ｂ      極領域部材
ｃ      非極領域部材
ｄ      治具
ｅ１    端部
ｅ２    延長部
【図１】
2005317845.tif 000004
【図２】
2005317845.tif 000005
【図３】
2005317845.tif 000006
【図４】
2005317845.tif 000007
【図５】
2005317845.tif 000008
【図６】
2005317845.tif 000009
【図７】
2005317845.tif 000010
【図８】
2005317845.tif 000011
【図９】
2005317845.tif 000012
【図１０】
2005317845.tif 000013
【図１１】
2005317845.tif 000014
【図１２】
2005317845.tif 000015
【図１３】
2005317845.tif 000016
【図１４】
2005317845.tif 000017
【図１５】
2005317845.tif 000018
【図１６】
2005317845.tif 000019
【図１７】
2005317845.tif 000020
【図１８】
2005317845.tif 000021
【図１９】
2005317845.tif 000022